【事件の表示】
　平成４年特許願第１４６１８４号「文章表示制御装置および文章表示制御方法」拒絶査定不服審判事件〔平成　５年１１月２６日出願公開、特開平５−３１４７３２〕について、次のとおり審決する。
【結　論】
　本件審判の請求は、成り立たない。
【理　由】
１．手続の経緯、本願発明
　
　本願は、平成４年５月１１日の出願であって、平成１４年１２月１３日付けの拒絶査定に対し、平成１５年１月２０日に拒絶査定に対する審判が請求されるとともに、平成１５年２月１９日に明細書について手続補正がされたところ、当審において、平成１８年１月３１日付けで拒絶理由を通知し、これに対して、平成１８年４月１０日付けで意見書及び手続補正書が提出されたものである。
　
　そして、本願の請求項１乃至７に係る発明は、平成１８年４月１０日付けで手続補正がされた明細書及び図面の記載からみて、その特許請求の範囲の請求項１乃至７に記載されたとおりのものであると認められるところ、請求項１に係る発明（以下、「本願発明」という。）は、次のとおりである。
　
「【請求項１】　文章を表示する表示部、電源のオン・オフを指示する電源指示スイッチ部、および、データを記憶する記憶部を備えている文章表示制御装置において、
　文章データと前ページまでの概略的内容を示すあらすじデータとがそれぞれ対応付けて各ページ毎に記憶されている文章記憶手段と、
　前記電源指示スイッチ部のオフ操作に応答して、前記表示部において表示されていたページを示すページ番号データを前記記憶部に記憶させる記憶制御手段と、
　この記憶制御手段の制御により前記ページ番号データが記憶された後に、前記電源指示スイッチ部のオン操作に応答して、前記記憶部に記憶されているページ番号データが示すページの前までのページのあらすじデータを前記文章記憶手段から読み出し、この読み出されたあらすじデータに基づくあらすじを前記表示部に表示させる第１の表示制御手段と、
　あらすじの表示後に操作されるあらすじ解除指示手段と、
　このあらすじ解除指示手段による解除の指示に応答して、前記第１の表示制御手段の制御により表示されているあらすじに代えて、前記文章記憶手段に記憶されているページ番号データが示すページに対応する文章データを前記文章記憶手段から読み出し、この読み出された文章データに基づく文章を前記表示部に表示させる第２の表示制御手段と、
　を備えたことを特徴とする文章表示制御装置。」
　
　
２．引用例
　
（１）第１引用例
　これに対し、当審において通知した拒絶の理由で引用した、本願出願前に頒布された刊行物である、特開平３−１８４１７１号公報（以下、「第１引用例」という。）には、図面とともに次の技術事項が記載されている。
　
（ａ）
「２．　特許請求の範囲
１．各種情程とともに他の記録媒体と区別するための媒体識別情報が記録されている記録媒体が着脱される電子ブック装置であって、
　装着された該記録媒体から該各種情報や該媒体識別情報を読み取るための記録再生装置と、動作指示するための入力装置と、
　該入力装置による指示に従って該記録再生装置により該記録媒体から読み出された該各種情報を表示する表示装置と、
　該表示装置で表示されている状況と該記録媒体から読み出された該媒体識別情報とを記憶する記憶装置と
　を備えたことを特徴とする電子ブック再生装置。
２．請求項１において、
　前記記録媒体には、前記各種情報の概要を表わす情報が記録されており、前記記憶装置の媒体識別情報と一致する媒体識別情報が記録されている記録媒体から該概要を表わす情報を読み出して前記表示装置に表示することができるように構成したことを特徴とする電子ブック再生装置。」（１頁左下欄第４行〜右下欄第６行）
　
（ｂ）
「近年、マイクロエレクトロニクスや光メモリの発達により、記録媒体に大容量の情報を記録して適宜提供する電子出版装置が提案されている。この場合の記録媒体としては、メモリカード（たとえば、特開平１−９４３８２号公報）やＣＤ−ＲＯＭ（たとえば、特開昭６３−６３１９０号公報、特開平１−１１４１５８号公報）などが用いられるが、特に、ＣＤ−ＲＯＭは音声用のコンパクトなディスクであって５５０メガバイトのデータを記録できるものであり、量産性、信頼性、ポータビリティが優れることから電子出版の中核的なメディアとして注目されつつある。」（２頁右上欄第１行〜第１２行）
　
（ｃ）
「しかしながら、上記従来技術においては、情報の再生を中断してその後再び再生を始める場合や記憶媒体を交換した場合、以前の再生状態に戻すためには以前と同じ操作を再度繰り返す必要があるなど、使い勝手に不充分な点があった。
　また、電子ブックにおいて、小説の情報を再生していて一旦中断し、再び再生をしたときには、以前読み出していた内容や登場人物が思い出せない場合が生じる可能性があり、この点に関しても考慮されていない。」（２頁右上欄第１４行〜左下欄第３行）」
　
（ｄ）
「本発明の第１の目的は、記録媒体を交換した場合などでも直ちに以前に利用していた状況を再現でき、操作性が向上した電子ブック再生装置を提供することにある。
　本発明の第２の目的は、情報の再生を一度中断した後に再び再生を始めた場合にも、以前に再生していた情報の概要を直ちに知ることができ、使い勝手が向上した電子ブック再生装置を提供することにある。」（２頁左下欄第７行〜第１５行）
　
（ｅ）
「上記第１の目的を達成するために、本発明は、各種情報を記録した着脱可能な第１の記録媒体に、該第１の記録媒体を識別するための識別情報を記録し、装着された該第１の記憶媒体から入力装置による指示に従って該各種情報を再生して表示装置で表示する電子ブック再生装置において、記憶装置と、再生の中断時や該第１の記録媒体の交換時に、該記憶装置に該第１の記憶媒体の該識別情報とその再生状況を記録する手段とを設ける。」（２頁右下欄第１行〜第９行）
　
（ｆ）
「上記第２の目的を達成するために、本発明は、記録媒体に記録された情報の概要にあたる情報を該記録媒体に記録しておき、情報再生装置が１度情報の再生を中断した後に再生を再開した場合に、情報再生装置もしくは記録媒体に記録された記録媒体の再生状況に関する情報により概要の情報を表示するようにしたものである。」（３頁左上欄第１行〜第７行）
　
（ｇ）
「第１図は本発明による電子ブック再生装置の一実施例の構成図であって、１は記録再生装置、２は記録媒体、３は媒体識別情報、４は各種情報、５は表示装置、６は音声再生装置、７は記憶装置、８はＣＰＵ、９は入力装置である。
　同図において、記録媒体２はＣＤ−ＲＯＭのような着脱可能で大容量の読み出し専用記録媒体である。この記録媒体２からは、アドレスを指定することにより、そのアドレスで指定されるセクタに格納されている情報を読み出すことができる。」（４頁左上欄第５行〜第１４行）
　
（ｈ）
「記録媒体２に記録される各種情報４としては、文字コードや音声・画像データなどの種々の情報が考えられる（後略）」（４頁右上欄第５行〜第７行）
　
（ｉ）
「記憶媒体２の情報４は記録再生装置１によって読み取られ、この情報４が文字や画像情報の場合には、表示装置５で表示される。」（４頁右上欄第１５行〜第１７行）
　
（ｊ）
「ＣＰＵ８は、入力装置９から入力された利用者の指示に従って、記録再生装置１の読み出しや表示装置５、音声再生装置６の制御を行なう。
　記憶装置７は、情報の読み書きが自由なメモリからなり、その情報内容は、ＣＰＵ８からの指示がなければ、装置全体の電源を切っても変化しない。このような記憶装置７としては、例えば、バッテリーによりバックアップされたＳＲＡＭ（スタティックＲＡＭ）やＥＥＰＲＯＭ（電気的消去可能なＰＲＯＭ）によって構成することができる。
　記録媒体２に４時間もの音声が記録されている場合、利用者は、全ての音声情報を連続して再生しないで、途中で何度か再生を中断する可能性が有り得る。また、途中で記録媒体２を交換し、「小説Ａ」の途中で「小説Ｂ」を楽しむ可能性もある。このような場合、記録媒体２の再生を一度中断して後、再生を再開することになるが、入力装置９から早送り・早戻し、再生を指示することにより、長時間の音声データの中から以前再生していた情報に再びアクセスするのは容易とは言えない。
　そこで、ＣＰＵ８は、記録媒体２の再生開始とともに、その媒体識別情報５を読み出して記憶装置７の光ディスク識別情報の欄に格納する。また、再生の中断時や記録媒体２の交換時には、記録媒体２の直前まで再生していた場所のアドレスを記憶装置７内の光ディスク識別情報と対応した「再生状況」の欄に格納する。記録媒体２の再生が再開されると、ＣＰＵ８は記録再生装置１によって記録媒体２に記録された媒体識別情報３を読み出し、記憶装置７の光ディスク識別情報の欄内に記録媒体２から読み出した媒体識別情報３と一致する媒体識別情報が存在するかどうかをチェックする。これら媒体識別情報が一致した場合には、その「光ディスク識別情報」に対する「再生状況」の欄からこの記録媒体２の以前再生していた場所のアドレスを読み出し、このアドレスから記録媒体２の再生を再開する。
　このようにして、利用者は記録媒体２の再生を一度中断もしくは媒体の交換後に再生を再開した場合でも、以前の再生アドレスと同じアドレスからの再生を開始させることができ、時間的な損失なしに情報の再生を行なうことができる。」（４頁左下欄第４行〜５頁左上欄第６行）
　
（ｋ）
「第３図は本発明による電子ブック再生装置のさらに他の実施例を示す構成図であって、１１，１２は「概要」の欄であり、第１図に対応する部分には同一符号をつけて重複する説明を省略する。
　同図において、記録媒体２には、第１図の実施例のように媒体識別情報３、各種情報４が記録されるとともに、さらに「概要」の欄１１，１２が設けられ、これらに、各種情報４の論理的な内容を圧縮した内容の情報（すなわち、概要情報）が記録されている。これは、各種情報４が小説である場合、「あらすじ」にあたる情報を音声情報もしくは文字コード情報で表現したものである。
　なお、第３図では、「概要」の欄を２個のみとしているが、これは内容によりさらに多くの概要情報を準備することができる。
　第４図は第３図における記録媒体２の構成の一具体例であり、第３図に対応する部分には同一符号をつけている。図中、左側に示すアドレスは記録媒体２のセクタ番号を意味する。このアドレスにより、記録媒体２のセクタを指定して情報の読み出しを行なう。１セクタは２０４８バイトとする。
　同図において、アドレス０は媒体識別情報３の記録領域、アドレス１〜２は概要の欄１１の領域、アドレス３〜５は概要の欄１２の領域とする。各種情報４の内容は、ここでは、小説の音声情報であるが、アドレス１０００〜Ｎまでに記録されているものとする。概要の欄１１中の概要情報の内容は各種情報４のうちのアドレス１０００〜２０００の内容のあらすじであり、概要の欄１２中の概要情報の内容は各種情報４のうちのアドレス１０００〜３０００の内容のあらすじである。概要の欄１１の先頭には、ここに記録された概要情報が各種情報４のどの部分の概要を表わすのかを示す各種情報４の対応するアドレスを格納する。上記の場合、１０００〜２０００という情報が記録される。同様にして、概要の欄１２の先頭には、２００１〜３０００という情報が記録され、ここに記録される概要情報が各種情報４のうちのアドレス２００１〜３０００に記録されている情報のあらすじであることを示している。
　そこで、第３図、第４図において、記録媒体２の再生を中断した場合、ＣＰＵ８は読み出しを行なってきた記録媒体２の媒体識別情報３を記憶装置７内の「光ディスク識別情報」の欄に格納するとともに、記録媒体２内の読み出し中のアドレスをこの光ディスク識別情報に対応した「再生状況」の欄に格納する。
　次に、記録媒体２の再生を再開した場合には、ＣＰＵ８はこの記録媒体２から媒体識別情報３を読み出して記憶装置７に格納された光ディスク識別情報の欄からこれと同一の媒体識別情報を捜し出し、この識別情報に対応する再生状況つまり記録媒体２の再生を再開すべきアドレスの情報を得る。次いで、ＣＰＵ８は記録媒体２の概要の欄１１，１２をチェックしてこれらの先頭に記録されているアドレス区間情報を読み出して再生を再開すべきアドレスと比較する。再生を再開すべきアドレスが概要の欄１１，１２のいずれか一方のアドレス区間情報内に存在する場合には、ＣＰＵ８は、まず、この概要の欄１１または１２の概要情報を読み出して表示装置５もしくは音声再生装置６から再生し、その後、記録媒体２の次に再生すべきアドレスから再生を再開する。
　以上により、光ディスクに音読した小説の情報を記録した場合、利用者が一度再生を中断してから長時間経過した後再生を再開する場合でも、再生アドレスに応じて適切なあらすじが再生されるので、利用者は以前に再生していた小説の内容を思い出すことができる。」（６頁左上欄第２行〜右下欄第１１行）
　
　上記記載事項及び図面を総合勘案すると、上記第１引用例には、次の発明（以下、「引用発明」という。）が記載されているとすることができる。
　
『小説のような各種情報とともに、他の記録媒体と区別するための媒体識別情報、及び「あらすじ」に該当する概要を表わす情報が、各種情報のどの部分の概要を表すのかを示す各種情報の対応するアドレスとともに記録され、アドレスを指定することにより、そのアドレスで指定されるセクタに格納されている情報を読み出すことができる記録媒体が着脱される電子ブック装置であって、
　ＣＰＵと、
　装着された前記記録媒体から前記各種情報や前記媒体識別情報、概要を表す情報などを読み取るための記録再生装置と、
　動作指示するための入力装置と、
　前記入力装置による指示に従って前記記録再生装置により前記記録媒体から読み出された文字や画像等の前記各種情報を表示する表示装置と、
　情報の読み書きが自由なメモリからなり、その情報内容は、前記ＣＰＵからの指示がなければ、装置全体の電源を切っても変化せず、前記表示装置で表示されている状況と前記記録媒体から読み出された前記媒体識別情報とを記憶する記憶装置とを備えており、
　ＣＰＵは、記録媒体の再生開始とともに、その媒体識別情報を読み出して記憶装置の光ディスク識別情報の欄に格納し、再生の中断時や記録媒体の交換時には、記録媒体の、直前まで再生していた場所のアドレスを記憶装置内の光ディスク識別情報と対応した「再生状況」の欄に格納し、記録媒体の再生が再開されると、ＣＰＵは記録再生装置によって記録媒体に記録された媒体識別情報を読み出し、記憶装置の光ディスク識別情報の欄内に記録媒体から読み出した媒体識別情報と一致する媒体識別情報が存在するかどうかをチエツクし、これら媒体識別情報が一致した場合には、その「光ディスク識別情報」に対する「再生状況」の欄からこの記録媒体の、以前再生していた場所のアドレスを読み出し、この識別情報に対応する再生状況つまり記録媒体の再生を再開すべきアドレスの情報を得、次いで、ＣＰＵは記録媒体の概要の欄をチェックしてこれらの先頭に記録されているアドレス区間情報を読み出して再生を再開すべきアドレスと比較し、再生を再開すべきアドレスが概要の欄のいずれか一方のアドレス区間情報内に存在する場合には、ＣＰＵは、まず、この概要の欄の概要情報を読み出して表示装置から再生し、その後、記録媒体の次に再生すべきアドレスから再生を再開し、
　前記記憶装置の媒体識別情報と一致する媒体識別情報が記録されている記録媒体から該概要を表わす情報を読み出して前記表示装置に表示することができるように構成したことを特徴とする電子ブック再生装置。』
　
（２）第２引用例
　同じく、当審において通知した拒絶の理由で引用した、本願出願前に頒布された刊行物である、特開平２−２５７３６４号公報（以下、「第２引用例」という。）には、図面とともに次の技術事項が記載されている。
　
（ｍ）
「頁ごとに区分して記憶装置に格納した文字などの情報を読み出す装置と、読み出した１頁分の情報を表示する表示装置と、次の頁を表示するよう指示するキーと、前の頁の表示に戻ることを指示するキーと、格納した情報の概要目次を表示するよう指示するキーとを有することにより、頁をめくるようにして記憶装置から情報を呼び出して表示し、表示した１頁の表示両面上の特定の位置をカーソルにより指定するキーと、その指定した位置を確定するキーとを有し、表示した位置から別の位置までの範囲にアンダーラインを表示するキーを持ち、そのアンダーラインの位置を記録媒体または記憶装置に記憶し再現できることを特徴とする電子ブック。」（１頁左下欄第４行〜第１７行）
　
（ｎ）
「そこで発明者は、紙の代用として書物、新聞、雑誌とほぼ同じ働きを有する電子ブックなるものを提案する。ここにいう電子ブックとは、以下の要件を満たす装置である。
（１）既存の書籍と同等の表示能力で文章（漢字を含む）若しくは図形等を表示できる。
（２）数１００頁以上の書籍の内容を小型ディスク（磁気又は光学的）若しくはＩＣカードに格納しておき、これを読み出して表示する。
（３）ポータブルな機器として書籍と同様に持ち歩くことができ、どこでも読むことができる。」（３頁右下欄第１５行〜４頁左上欄第５行）
　
　
３．対　比
　本願発明と引用発明とを対比する。
　引用発明における「表示装置」は、「文字や画像等の前記各種情報」を表示するものであるから、記録媒体に記録された各種情報が小説である場合には当然「文章を表示する」こととなるから、本願発明における「文章を表示する表示部」に相当し、又、表示に際しては様々な制御を行っているから、引用発明における「電子ブック再生装置」は、「文章表示制御装置」に相当する。
　引用発明における「記憶装置」は、「前記表示装置で表示されている状況と前記記録媒体から読み出された前記媒体識別情報」等のデータを記憶するものであるから、本願発明における「データを記憶する記憶部」に相当する。
　引用発明の「記録媒体」は、上記（ｂ）に摘記したようにＣＤ−ＲＯＭの他にも、メモリカードも排除する理由がなく、情報の「記録」と「記憶」とを特段区別するものでないから、本願発明における「文章記憶手段」と比較すると、記録媒体に記録された各種情報が小説の場合には、文章データが記録されることとなるのは当然のことであり、『「あらすじ」に該当する概要を表わす情報が各種情報のどの部分の概要を表すのかを示す各種情報の対応するアドレスとともに記録され』ていることは、「あらすじ」のデータと文章データとが対応付けて記録されていることに他ならず、したがって、「文章データと」「概略的内容を示すあらすじデータとがそれぞれ対応付けて」「記憶されている」点において共通する。
　引用発明において、記録媒体の再生を再開した場合に、「ＣＰＵは、まず、この概要の欄の概要情報を読み出して表示装置から再生し、」「該概要を表わす情報を読み出して前記表示装置に表示する」ことからすると、ＣＰＵと表示装置とで「あらすじデータを前記文章記憶手段から読み出し、この読み出されたあらすじデータに基づくあらすじを前記表示部に表示させる第１の表示制御手段」を構成するといえる。
　又、引用発明において「その後、記録媒体の次に再生すべきアドレスから再生を再開し」との動作は、あらすじに代えて各種情報としての小説の文章を表示することに他ならないから、同じくＣＰＵと表示装置とで本願発明の「前記第１の表示制御手段の制御により表示されているあらすじに代えて、」「文章データを前記文章記憶手段から読み出し、この読み出された文章データに基づく文章を前記表示部に表示させる第２の表示制御手段」を構成するといえる。
　
　そうすると、本願発明と引用発明とは次の点で一致する。
　<一致点>
「文章を表示する表示部、および、データを記憶する記憶部を備えている文章表示制御装置において、
　文章データと概略的内容を示すあらすじデータとがそれぞれ対応付けて記憶されている文章記憶手段と、
　あらすじデータを前記文章記憶手段から読み出し、この読み出されたあらすじデータに基づくあらすじを前記表示部に表示させる第１の表示制御手段と、
　前記第１の表示制御手段の制御により表示されているあらすじに代えて、文章データを前記文章記憶手段から読み出し、この読み出された文章データに基づく文章を前記表示部に表示させる第２の表示制御手段と、
　を備えたことを特徴とする文章表示制御装置。」
　
　一方、次の各点で相違する。
（相違点１）
　本願発明においては、「電源のオン・オフを指示する電源指示スイッチ部」を備えるのに対し、引用発明においては、電源指示スイッチ部の明記がない点。
（相違点２）
　本願発明の「文章記憶手段」においては、あらすじデータは「前ページまでの」概略的内容を示すもので、文章データとあらすじデータはそれぞれ対応付けて「各ページ毎に」記憶されているのに対し、引用発明においてはそのように記載されていない点。
（相違点３）
　本願発明においては、「前記電源指示スイッチ部のオフ操作に応答して、前記表示部において表示されていたページを示すページ番号データを前記記憶部に記憶させる記憶制御手段」を備えるのに対し、引用発明においてはそのように記載されていない点。
（相違点４）
　本願発明においては、第１の表示手段について「この記憶制御手段の制御により前記ページ番号データが記憶された後に、前記電源指示スイッチ部のオン操作に応答して、前記記憶部に記憶されているページ番号データが示すページの前までのページのあらすじデータを前記文章記憶手段から読み出し」と特定されるのに対し、引用発明においてはそのように記載されていない点。
（相違点５）
　本願発明においては、「あらすじの表示後に操作されるあらすじ解除指示手段」を備え、さらに、第２の表示制御手段について、「このあらすじ解除指示手段による解除の指示に応答して、前記第１の表示制御手段の制御により表示されているあらすじに代えて、前記文章記憶手段に記憶されているページ番号データが示すページに対応する文章データを前記文章記憶手段から読み出し」と特定されるのに対し、引用発明においてはそのように記載されていない点。
　
　
４．判　断
　そこで、上記各相違点について検討する。
（相違点１について）
　引用発明の電子ブック装置おいて、記憶装置は「装置全体の電源を切っても変化せず」と特定されていることからすると、引用発明においては、たとえ明記がなくとも電源のオン・オフを指示する電源指示スイッチ部を設けることについては、十分の示唆があると解することができる。
　又、たとえこのような示唆がなくとも、通常、ＣＰＵ、メモリ等の記憶装置、記録再生装置、表示装置等を備えた電子機器において、電源のオン・オフを指示するスイッチを設けることは技術常識上ごく普通のことである。
　すると、相違点１については、引用発明自体の示唆から、又は、技術常識から、当業者が容易に想到しうるものである。
　
（相違点２について）
　電子ブック再生装置は、電子的な技術手段を用いて、従来の（伝統的な、又は普通の）書籍・新聞・雑誌等（以下、「書籍等」という。）をモデルとして、代替乃至は再現するものであるから、特に小説のような文章データで構成される情報を、ページ毎に記憶することは、前記従来の書籍等において印刷表示される文章の形態を考慮すると、ごく自然なことにすぎない。例えば、第２引用例においても、摘記事項（ｍ）に「ページ毎に区分して記憶装置に格納」などと記載されていることにすぎない。
　又、あらすじデータについては、当該データをどの程度の単位で作成するかは、第１引用例の摘記部分(k)に「なお、第３図では、「概要」の欄を２個のみとしているが、これは内容によりさらに多くの概要情報を準備することができる。」とあるように、あらすじデータの分量や区分などは適宜選択可能な事項にすぎないことが明らかであるから、引用発明においても、文章データ自体をページ毎に区分して記憶することとした場合には、当該文章データに対応付けられたあらすじデータについても「各ページ毎に」記憶することは、当業者が容易に想到しうるものである。
　その際、あらすじは、例えば、定期的に刊行される雑誌の連載ものにおいて、しばしば各回の最初の部分に「前回までのあらすじ」が付されているように、これから読む文章の前までの概略的内容を示すものとするのが自然であるから、各ページの文章データに対応するあらすじデータを「前ページまでの」概略的内容とすることは、当業者が容易に想到しうるものである。
　
（相違点３について）
　引用発明には『再生の中断時や記録媒体の交換時には、記録媒体の、直前まで再生していた場所のアドレスを記憶装置内の光ディスク識別情報と対応した「再生状況」の欄に格納』する技術事項が含まれている。
　記録媒体を用いる再生装置の「再生の中断時」に、当該装置の電源スイッチを操作して電源をオフすることは、普通に行われることであり、引用発明において再生の中断時に電源をオフすることを除外すべき理由もない。相違点１についての検討でも指摘したように、引用発明における「記憶装置」が、「装置全体の電源を切っても変化せず」と特定されていることからも、引用発明においては、再生の中断時に電源をオフすることが十分示唆されるものである。
　又、相違点２についての検討ですでに明らかにしたことであるが、第２引用例によって例示したとおり、電子ブック装置において文章データをページ毎に記憶することが普通に行われることであるから、再生していた場所を記憶する際にも、記録媒体のアドレスに代えて、ページ番号単位とすることは当業者が容易に想到しうるものである。
　これらの点について、たとえば、特開平２−８９１７６号公報（以下、「周知例１」という。）には、電源スイッチがオフになったときに、直前に表示されていたページの先頭アドレスを「しおり」として登録し、再び電源スイッチがオンされたときには、しおり登録ページから読み出されるようにすることが記載されている。
　以上のことからすると、引用発明においても「再生の中断」に電源スイッチのオフ操作の場合を含め、「直前まで再生していた場所のアドレス」をページ番号データとすることで、相違点３について本願発明のようにすることは当業者が容易に想到しうるものである。
　
（相違点４について）
　引用発明には、
『記録媒体の再生が再開されると、ＣＰＵは記録再生装置によって記録媒体に記録された媒体識別情報を読み出し、記憶装置の光ディスク識別情報の欄内に記録媒体から読み出した媒体識別情報と一致する媒体識別情報が存在するかどうかをチェックし、これら媒体識別情報が一致した場合には、その「光ディスク識別情報」に対する「再生状況」の欄からこの記録媒体の、以前再生していた場所のアドレスを読み出し、この識別情報に対応する再生状況つまり記録媒体の再生を再開すべきアドレスの情報を得、次いで、ＣＰＵは記録媒体の概要の欄をチェックしてこれらの先頭に記録されているアドレス区間情報を読み出して再生を再開すべきアドレスと比較し、再生を再開すべきアドレスが概要の欄のいずれか一方のアドレス区間情報内に存在する場合には、ＣＰＵは、まず、この概要の欄の概要情報を読み出して表示装置から再生』することが技術事項に含まれている。
　相違点３についての検討で明らかにしたように、引用発明における「再生の中断」に電源スイッチのオフ操作が含まれることは当然のことであるから、それに対応して、引用発明における「再生の再開」に電源スイッチを再び操作して装置をオンすることを含まれることも当然のことにすぎない。
　又、「再生の中断」に際して、「以前再生していた場所のアドレス」をページ番号データとして記憶すると、「再生の再開」に際しては、あらすじデータについても、相違点２についての検討において明らかにしたように、再生中断前に表示していたページ番号データに対応して記憶されている前ページまでのあらすじデータを選択するのは、当業者が容易に想到しうるものである。
　
（相違点５について）
　引用発明には、再生中断後の再開に際して「この概要の欄の概要情報を読み出して表示装置から再生し、その後、記録媒体の次に再生すべきアドレスから再生を再開」するとの技術事項が含まれている。
　これに対し、審判請求人は、第１引用例に記載されたものは、「あらすじを再生した後、自動的に本文に相当する情報の再生を開始する」ものである旨、主張している。
　しかしながら、音声による再生の場合はともかく、第１引用例には、表示装置に文章データを表示する態様も記載されており、引用発明はそのような態様に基づいて認定したものであるところ、第２引用例には、表示装置に文章データを表示するもので、「紙の代用として書物、新聞、雑誌とほぼ同じ働きを有する電子ブック」において、「次の頁を表示するよう指示するキーと、前の頁の表示に戻ることを指示するキーと、格納した情報の概要目次を表示するよう指示するキーとを有することにより、頁をめくるようにして記憶装置から情報を呼び出して表示」することが記載されているのであるから、引用発明の「動作指示するための入力装置」においても、引用発明が表示装置に文章データを表示するものである以上、第２引用例に記載された電子ブックが有する各「指示するキー」のように、表示されたデータを操作可能なキーを備えることは自然なことであるから、「概要情報を読み出して表示装置から再生し」た後に、当該概要情報の表示を解除して、これにより文章の本文を表示させることを指示するキーを備えることは、当業者が容易に想到しうるものである。
　その際、相違点２乃至４での検討でも示したように、再生すべきアドレスを文章データのページ番号データとして記憶することは、当業者が容易に想到しうるものである。
　
　以上の検討を総合すると、各相違点は、第２引用例、周知例１その他の周知事項、及び技術常識を参酌することで当業者が容易に想到しうるものであり、作用効果についても当業者が予測しうるものにすぎない。
　
　
５．むすび
　以上のとおりであって、本願の請求項１に係る発明は、第１引用例及び第２引用例に記載された発明に基づいて、周知事項も参酌することで当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。